(57)【要約】【課題】各作業の難易度が低くて床の高さの変更を正確且つ安全に実施することができ、しかも、付加価値として高さ変更後の床構造部の許容荷重の増大や耐震性の向上も図ることができる既存建物の床高さ変更方法を提供する。【解決手段】複数本の既存柱１０に既存床構造部２０が架設されている既存建物Ｔの床高さ変更方法であって、既存床構造部１０の上に新設床構造部２０を重ね合わせて床を嵩上げし、既存床構造部１０と新設床構造部２０とを一体的に応力伝達可能に接合して一体の床構造部５０とする床嵩上げ一体化工程を備える。【選択図】図４
2018119272.tif 000002
【特許請求の範囲】
【請求項１】
複数本の既存柱に既存床構造部が架設されている既存建物の床高さ変更方法であって、
前記既存床構造部の上に新設床構造部を重ね合わせて床を嵩上げし、前記既存床構造部と前記新設床構造部とを一体的に応力伝達可能に接合して一体の床構造部とする床嵩上げ一体化工程を備える既存建物の床高さ変更方法。
【請求項２】
前記床嵩上げ一体化工程において、前記新設床構造部を前記既存柱に接合する請求項１記載の既存建物の床高さ変更方法。
【請求項３】
前記既存床構造部が、既存梁を有する既存梁構造体と、その既存梁構造体に支持される既存床構造体とを備え、
前記新設床構造部が、新設梁を有する新設梁構造体を備え、
前記床嵩上げ一体化工程において、前記既存床構造体に開口部を形成し、その開口部を通じて、前記既存梁構造体と前記新設梁構造体とを接合する請求項１又は２記載の既存建物の床高さ変更方法。
【請求項４】
前記既存梁構造体及び前記新設梁構造体は、斜材を有する梁を備えて構成され、
前記床嵩上げ一体化工程において、前記既存梁構造体の前記斜材を延長する状態で前記新設梁構造体の斜材を構築する請求項１〜３のいずれか１項に記載の既存建物の床高さ変更方法。
【発明の詳細な説明】
【技術分野】
【０００１】
本発明は、複数本の既存柱に既存床構造部が架設されている既存建物の床高さ変更方法に関する。
【背景技術】
【０００２】
既存建物を別の用途で使用する場合等には、その用途等に応じて床の高さを変更するのが好ましい場合がある。特許文献１には、複数本の既存柱に架設された既存床構造部を既存建物から切断分離し、油圧ジャッキ等を用いて高さ方向に移動させた上で、既存建物に再固定する既存建物の床高さ変更方法が提案されている。この床高さ変更方法では、既存建物の既存床構造部を再利用して既存建物の床の高さを変更することができる。
【先行技術文献】
【特許文献】
【０００３】
【特許文献１】特開２０１５−０６３７９３号公報
【発明の概要】
【発明が解決しようとする課題】
【０００４】
上記従来の床高さ変更方法では、既存床構造部を油圧ジャッキ等にて適切に支持しながら既存建物から切断分離する作業、切断分離した既存床構造部を油圧ジャッキ等にて適切に支持しながら高さ方向で移動させる作業、高さ変更した既存床構造部を既存建物に適切に固定する作業が必要となる。ところが、既存床構造部の重量はそれなりに大きいので、これらの各作業の難易度が非常に高くなる。よって、既存建物の床の高さの変更を正確且つ安全に実施するのが難しい不都合がある。
【０００５】
この実情に鑑み、本発明の主たる課題は、各作業の難易度が低くて床の高さの変更を正確且つ安全に実施することができ、しかも、付加価値として高さ変更後の床構造部の許容荷重の増大や耐震性の向上も図ることができる既存建物の床高さ変更方法を提供する点にある。
【課題を解決するための手段】
【０００６】
本発明の第１特徴構成は、複数本の既存柱に既存床構造部が架設されている既存建物の床高さ変更方法であって、
前記既存床構造部の上に新設床構造部を重ね合わせて床を嵩上げし、前記既存床構造部と前記新設床構造部とを一体的に応力伝達可能に接合して一体の床構造部とする床嵩上げ一体化工程を備える点にある。
【０００７】
本構成によれば、床嵩上げ一体化工程において、既存床構造部の上に新設床構造部を重ね合わせて床を嵩上げするので、重量の大きな既存床構造部を油圧ジャッキ等で適切に支持しながら行う難易度の高い作業がなく、床の高さ変更を正確且つ安全に実施することができる。
しかも、この床嵩上げ一体化工程において、既存床構造部と新設床構造部とを一体的に応力伝達可能に接合して一体の床構造部とするので、複数本の既存柱に架設された床構造部の強度を高めることができ、付加価値として床構造部の許容荷重の増大や耐震性の向上を図ることができる。
【０００８】
本発明の第２特徴構成は、前記床嵩上げ一体化工程において、前記新設床構造部を前記既存柱に接合する点にある。
【０００９】
本構成によれば、新設床構造部の既存柱への接合により複数本の既存柱に架設された一体の床構造部の接合箇所のせん断耐力を向上させることができ、例えば、柱のスパンが短い場合等において、床構造部の許容荷重の増大を適切に図ることができる。また、一体の床構造部から既存柱により多くの応力を伝達することができ、例えば、長期荷重よりも短期荷重への対策が求められる場合等に適切に対策を講じることができる。
【００１０】
本発明の第３特徴構成は、前記既存床構造部が、既存梁を有する既存梁構造体と、その既存梁構造体に支持される既存床構造体とを備え、
前記新設床構造部が、新設梁を有する新設梁構造体を備え、
前記床嵩上げ一体化工程において、前記既存床構造体に開口部を形成し、その開口部を通じて、前記既存梁構造体と前記新設梁構造体とを接合する点にある。
【００１１】
本構成によれば、既存床構造部の既存梁構造体と新設床構造部の新設梁構造体とを接合することで、新設梁構造体にて既存梁構造体を補強しながら既存床構造部と新設床構造部との一体化を適切に行うことができる。
しかも、既存梁構造体と新設梁構造体との接合作業は、既存床構造体に開口部を形成して行うので、既存床構造体の大部分を撤去して行うのに比べて作業の大幅な省力化を図ることができる。更に、既存床構造体を作業床に活用することができ、作業効率や安全性を向上させることができる。
【００１２】
本発明の第４特徴構成は、前記既存梁構造体及び前記新設梁構造体が、斜材を有する梁を備えて構成され、
前記床嵩上げ一体化工程において、前記既存梁構造体の前記斜材を延長する状態で前記新設梁構造体の前記斜材を構築する点にある。
【００１３】
本構成によれば、既存梁構造体と新設梁構造体の両方が、斜材を有する梁（例えば、トラス梁）を備える場合において、既存梁構造体の斜材と新設梁構造体の斜材との間での応力伝達を一層適切に行わせることができ、既存床構造部と新設床構造部との一体化を一層適切に実現することができる。
【図面の簡単な説明】
【００１４】
【図１】床高さ変更前の既存建物を示す図
【図２】床嵩上げ一体化工程を示す図
【図３】床嵩上げ一体化工程を示す図
【図４】床高さ変更後の既存建物を示す図
【図５】別実施形態の床高さ変更後の既存建物を示す図
【発明を実施するための形態】
【００１５】
本発明に係る既存建物の床高さ変更方法の実施形態を図面に基づいて説明する。
図１は床高さ変更前の既存建物Ｔの一部を示している。同図１に示すように、既存建物Ｔは、複数本の既存柱１０どうしの間に既存床構造部２０が架設された構造となっている。
【００１６】
既存柱１０は、鉄骨造（Ｓ造）や鉄筋コンクリート造（ＲＣ造）、鉄骨鉄筋コンクリート造（ＳＲＣ造）、鋼管にコンクリートを充填した充填鋼管コンクリート造（ＣＦＴ造）、それらの複合構造等の各種の構造を適宜に採用することができる。本実施形態では、既存柱１０は、ＣＦＴ造にて構成されている。
【００１７】
既存床構造部２０は、Ｓ造やＲＣ造、ＳＲＣ造、それらの複合構造等の各種の構造を適宜に用いることができる。本実施形態では、既存床構造部２０は、複数の既存柱１０の外周面に対してボルトや溶接等の接合手段Ａにて両端部が接合された既存梁２１Ａを有する既存梁構造体２１と、当該既存梁構造体２１に下方から支持された既存床構造体２２とを備えて構成されている。
【００１８】
既存梁２１Ａは、例えば、上弦材２１ａと下弦材２１ｂとの間に複数本の斜材２１ｄを組み付けた鉄骨製のトラス梁として構成され、既存床構造体２２は、例えば、コンクリートにて構成されている。図示は省略するが、図１中の奥行き方向で間隔を空けて並行する既存梁２１Ａどうしの間に適宜に小梁を亘らせることができる。
【００１９】
そして、本発明に係る床高さ変更方法は、図２〜図４に示すように、既存床構造部２０の上に新設床構造部３０を重ね合わせて床を嵩上げし、既存床構造部２０と新設床構造部３０とを床接合部４０にて一体的に応力伝達可能に接合して一体の床構造部５０とする床嵩上げ一体化工程を実行することで、図４に示すように、既存建物Ｔの床の高さを既存の高さＨ１から新たな高さＨ２に変更する。この床高さ変更方法は、例えば、既存建物Ｔの全体又はその一部の用途等を変更する場合等に、変更後の用途等に応じて床の高さを変更するのに好適に用いることができる。
【００２０】
なお、本実施形態では、新設床構造部３０が、新設梁３１Ａを有する新設梁構造体３１と、当該新設梁構造体３１に下方から支持される新設床構造体３２とを備えて構成されている場合を例に挙げるが、既存床構造部２０と同様、新設床構造部３０も、Ｓ造やＲＣ造、ＳＲＣ造、それらの複合構造等の各種の構造を適宜に用いることが可能である。
ここで、新設梁３１Ａは、例えば、Ｈ型鋼等の型鋼からなる鉄骨梁にて構成され、新設床構造体３２は、例えば、コンクリートにて構成されている。また、図示は省略するが、図４中の奥行き方向で間隔を空けて並行する新設梁３１Ａどうしの間に適宜に小梁を亘らせることができる。
【００２１】
以下、床嵩上げ一体化工程について説明を加える。
この床嵩上げ一体化工程では、既存床構造体２２は撤去することなく、既存床構造体２２を作業床に活用して各作業を行う。
【００２２】
まず、図２に示すように、既存床構造体２２における既存梁２１Ａの直上部位の複数箇所に、床接合部４０を構築するための円形や四角形等の孔状の開口部Ｈを形成する。開口部Ｈの形成箇所は、例えば、既存床構造体２２における既存梁２１Ａの上弦材２１ａと斜材２１ｄの接合部の直上箇所に設定されている。
【００２３】
そして、床接合部４０を構成する鉄骨製等の連結部材４１を、既存床構造体２２の各開口部Ｈ内に縦姿勢で配置し、当該連結部材４１の下端と既存梁２１Ａの上端とをボルトや溶接等の適宜の接合手段（図示省略）にて接合する。
【００２４】
次に、図３に示すように、既存床構造体２２における既存梁２１Ａの直上部位に新設梁構造体３１の新設梁３１Ａを配置し、当該新設梁３１Ａの下端と連結部材４１の上端とをボルトや溶接等の適宜の接合手段（図示省略）にて接合する。
このようにして、床接合部４０を構成する連結部材４１を介して、既存梁構造体２１と新設梁構造体３１とを接合し、新設床構造部３０を複数の既存柱１０に接合する。
【００２５】
更に、必要に応じて、新設梁３１Ａの両端部を各既存柱１０の外周面にボルトや溶接等の適宜の接合手段Ｂにて接合する。この新設梁３１Ａと既存柱１０との接合構造は、剛接合や半剛接合などの各種の接合構造を適宜に選択することができる。
【００２６】
そして、図４に示すように、新設梁構造体３１の上に新設床構造体３２を構築して新設床構造部３０を完成させ、既存床構造部２０と新設床構造部３０とを一体的に応力伝達可能に接合した一体の床構造部５０とし、既存建物Ｔの床の高さを既存の高さＨ１から新たな高さＨ２に変更する。
【００２７】
このように、この床高さ変更方法では、既存床構造部２０の上に新設床構造部３０を重ね合わせて床を嵩上げするので、重量の大きな既存床構造部２０を油圧ジャッキ等で適切に支持しながら行う難易度の高い作業がなく、床の高さ変更を正確且つ安全に実施することができる。
しかも、既存床構造部２０と新設床構造部３０とを一体的に応力伝達可能に接合して一体の床構造部５０とするので、床構造部５０の強度を高めることができ、付加価値として床構造部５０の許容荷重の増大や耐震性の向上を図ることができる。
【００２８】
〔別実施形態〕
（１）前述の実施形態では、既存梁構造体２１の既存梁２１Ａと新設梁構造体３１の新設梁３１Ａとを縦姿勢の連結部材４１を介して接合する場合を示したが、例えば、図５に示すように、新設梁３１Ａが上弦材３１ａと斜材３１ｄを有する場合等において、既存梁２１Ａの斜材２１ｄを開口部Ｈを通じて上方側に延長する状態で新設梁３１Ａの斜材３１ｄを構築し、既存梁構造体２１の既存梁２１Ａと新設梁構造体３１の新設梁３１Ａとを接合してもよい。なお、図中において、前述した第１実施形態と同一の構成箇所には同一の番号を付記している。
【００２９】
この場合、例えば、既存梁２１Ａの斜材２１ｄと新設梁３１Ａの斜材３１ｄとを同軸上に沿って並ぶ状態で接合することにより、既存梁２１Ａの斜材２１ｄを上方側に延長する状態で新設梁３１Ａの斜材３１ｄを構築することができる。
【００３０】
このようにすれば、既存梁構造体２１側の斜材２１ｄと新設梁構造体３１側の斜材３１ｄとの間での応力伝達を一層適切に行わせることができ、既存床構造部２０と新設床構造部３０との一体化を一層適切に実現することができる。
【００３１】
図示の例では、既存梁２１Ａの全ての斜材２１ｄと新設梁３１Ａの全ての斜材３１ｄとを接合する場合を例に示しているが、既存梁２１Ａの一部の斜材２１ｄと新設梁３１Ａの一部の斜材３１ｄとを接合してもよく、また、場合によっては、既存梁２１Ａの上弦材２１ａは撤去してもよい。なお、新設梁３１Ａは、上弦材３１ａと斜材３１ｄのみから構成されているものに限らず、更に下弦材を有するものであってもよい。
【００３２】
（２）前述の実施形態では、既存床構造体２２に形成する開口部Ｈを円形や四角形等の孔状とし、当該開口部Ｈ内に縦姿勢の連結部材４１を配置して一つの既存梁２１Ａと一つの新設梁３１Ａとを接合する場合を例に示したが、例えば、開口部Ｈを並設された複数の既存梁２１Ａに亘って延びるスリット状とし、長尺の横姿勢の連結部材を複数の既存梁２１Ａに亘らせる状態で配置して複数の既存梁２１Ａと複数の新設梁３１Ａとを接合してもよい。
【００３３】
（３）前述の実施形態では、既存床構造部２０が、既存梁構造体２１と既存床構造体２２とから構成されている場合を例に示したが、所謂フラットスラブ構造のように既存床構造体２２のみから構成されていてもよい。
同様に、新設床構造部３０も、新設梁構造体３１と新設床構造体３２とから構成されているものに限らず、新設床構造体３２のみから構成されていてもよい。
【００３４】
（４）前述の実施形態では、新設床構造体３２を、コンクリートで構成する場合を例に示したが、金属等の他の素材で構成してもよい。
【００３５】
（５）本発明に係る床高さ変更方法は、既存建物Ｔの全体又はその一部の用途等を変更する場合に限らず、床の高さ変更を要する各種の場面で好適に用いることができる。
【符号の説明】
【００３６】
１０        既存柱
２０        既存床構造部
２１        既存梁構造体
２１ｄ      斜材
２２        既存床構造体
３０        新設床構造部
３１        新設梁構造体
３１ｄ      斜材
３２        新設床構造体
５０        床構造部
Ｔ          既存建物
【図１】
2018119272.tif 000003
【図２】
2018119272.tif 000004
【図３】
2018119272.tif 000005
【図４】
2018119272.tif 000006
【図５】
2018119272.tif 000007